(57)【要約】【課題】目薬の吐出構造を工夫することにより、顔を前に向けたままでも目薬を投与することが出来るとともに、毎回の目薬の投与量をほぼ一定にすることが出来、しかも従来の点眼具を一部に流用する事が可能で、部品点数も非常に少なく安価な点眼具を提供することにある。【解決手段】目薬を収納する滴下容器１と、滴下容器１の上部に滴下容器１を倒立させた時に目薬を滴下出来るノズル２と、滴下容器１の上部に滴下容器１とネジ等で漏れ無く連結されるアダプタ６と、アダプタ６はノズル２から空間７を設けた位置に、滴下した目薬を受ける受液部８と、受液部の底部８ａに設けた目薬を水平方向に導くパイプ９で構成されることを特徴とする点眼具。【選択図】図１
2016198464.tif 000002
【特許請求の範囲】
【請求項１】
目薬を収納する滴下容器と、この滴下容器の上部にこの滴下容器を倒立させた時に目薬を滴下出来るノズルと、前記滴下容器の上部にこの滴下容器とネジ等で漏れ無く連結されるアダプタと、このアダプタは前記ノズルから空間を設けた位置に、滴下した前記目薬を受ける受液部と、この受液部の底部に設けた前記目薬を水平方向に導くパイプで構成されることを特徴とする点眼具。
【請求項２】
目薬を収納する滴下容器は弾性変形可能な材質であり、アダプタとの連結部を設け、ノズル部は小径の穴と液滴を受け止める頭頂部で構成される請求項１に記載の点眼具。
【請求項３】
アダプタは、滴下容器との連結部を設け、ノズル先端の目薬が落下できる空間を設けた位置に、滴下される前記目薬以上の容積の受液部を設け、またこの受液部は表面張力を発生しやすい形状でありかつ前記目薬がパイプに流れ込みやすい形状で構成され、滴下を目視出来るように透明な材質である請求項１に記載の点眼具。
【請求項４】
アダプタの受液部から水平方向に設けるパイプは、滴下した目薬が表面張力で流れ出ない穴径で、かつ目薬を効果的に飛ばすことが出来る穴径で構成される請求項１に記載の点眼具。
【発明の詳細な説明】
【技術分野】
【０００１】本発明は、顔を前に向けたままで目薬を投与することが可能な点眼具に関するものである。
【背景技術】
【０００２】一般的な点眼は顔を上に向け目薬を目の上方から滴下させる方法である。目薬メーカーが紹介している点眼方法でも下瞼を軽く開いて目薬を滴下するやり方が紹介されている。しかし、一般の人でも正確に滴下させることは容易ではなく肌に薬がかかるなど失敗して数滴を滴下する必要が多くあった。顔を上に向け目薬を滴下させる方法に対する問題を解決すべく幾つかの補助具があるが問題を解決しきれず普及も少ない。とくに高齢者では顔を上に上げられない人においては従来の方法では目薬を指すことが出来ない。また人前で顔を上に向けての点眼は抵抗も感じる。
【先行技術文献】
【特許文献】
【０００３】
【特許文献１】特開２００２−１９１６７１
【特許文献２】特開２００３−２４５３５２
【発明の概要】
【発明が解決しようとする課題】
【０００４】特許文献の水平点眼具によれば、ポケット状の部分に一旦目薬を溜める方法では目薬容器内の薬液の量の変動に対してポケットに溜める量を一定にすることは出来ず投与量が変化してしまう。また、ポンプ構造の方法では機構が複雑になり部品点数も多く、小型にしにくい。【０００５】本発明は、上記の実情に鑑みて試されたものであって、その主たる課題は目薬の吐出構造を工夫することにより、顔を前に向けたままでも目薬を投与することが出来るとともに、毎回の目薬の投与量をほぼ一定にすることが出来、しかも従来の点眼具を一部に流用する事が可能で、部品点数も非常に少なく安価な点眼具を提供することにある。
【課題を解決するための手段】
【０００６】本発明の請求項１による点眼具は、目薬を収納する滴下容器と、この滴下容器の上部にこの滴下容器を倒立させた時に目薬を滴下出来るノズルと、前記滴下容器の上部にこの滴下容器とネジ等で漏れ無く連結されるアダプタと、このアダプタは前記ノズルから空間を設けた位置に、滴下した前記目薬を受ける受液部と、この受液部の底部に設けた前記目薬を水平方向に導くパイプで構成されることを要旨としている。【０００７】目薬を収納する滴下容器は弾性変形可能な材質であり、アダプタとの連結部を設け、ノズル部は小径の穴と液滴を受け止める頭頂部で構成されることが望ましい。【０００８】アダプタは、滴下容器との連結部を設け、ノズル先端の目薬が落下出来る空間を設けた位置に、滴下される前記目薬以上の容積の受液部を設け、またこの受液部は表面張力を発生しやすい形状でありかつ前記目薬がパイプに流れ込みやすい形状で構成され、滴下を目視出来るように透明な材質であることが望ましい。【０００９】アダプタの受液部から水平方向に設けるパイプは、滴下した目薬が表面張力で流れ出ない穴径で、かつ目薬を効果的に飛ばすことが出来る穴径で構成されることが望ましい。
【発明の効果】
【００１０】目薬を収納する滴下容器と、この滴下容器の上部にこの滴下容器を倒立させた時に目薬を滴下出来るノズルと、前記滴下容器の上部にこの滴下容器とネジ等で漏れ無く連結されるアダプタと、このアダプタは前記ノズルから空間を設けた位置に、滴下した前記目薬を受ける受液部と、この受液部の底部に設けた前記目薬を水平方向に導くパイプで構成することにより、目薬を水平方向に飛ばすことが出来、顔を上に向けずに点眼出来る。【００１１】目薬を収納する滴下容器を弾性変形可能な材質とし、アダプタとの連結部を設け、ノズル部は小径の穴と液滴を受け止める頭頂部で構成することにより、一滴ずつの決まった量の目薬を投与出来る。【００１２】アダプタに、滴下容器との連結部を設け、ノズル先端の目薬が落下出来る空間を設けた位置に、滴下される前記目薬以上の容積の受液部を設け、またこの受液部は表面張力を発生しやすい形状でありかつ前記目薬がパイプに流れ込みやすい形状で構成し、滴下を目視できるように透明な材質にすることにより、滴下を目視出来、滴下した目薬を一旦受け止め、姿勢を変えても目薬が受液部に留めることが出来る。【００１３】アダプタの受液部から水平方向に設けるパイプを、滴下した目薬が表面張力で流れ出ない穴径で、かつ目薬を効果的に飛ばすことが出来る穴径で構成することにより、目薬を受液部に留め、また目薬を意図する方向に導くことが出来る。
【図面の簡単な説明】
【００１４】
【図１】本発明の点眼具の第１実施形態を示す断面図
【図２】（Ａ）〜（Ｄ）は第１実施形態に示す点眼具の使い方の説明図
【図３】（Ａ）〜（Ｈ）は本発明の点眼具の他の実施形態を示す断面図
【発明を実施するための形態】
【００１５】図１は本発明の点眼具の第１実施形態を示し、目薬を収納し、かつ先端に目薬を滴下する為のノズル２と、アダプタ６と連結するためのネジ５を設けた構造の樹脂製の滴下容器１と、この滴下容器１とネジ５で連結し、ノズル２から滴下できる空間７を設けた位置に滴下目薬の容積以上の容積があり、かつ滴下目薬を表面張力で受け止める形状で、かつ目薬を水平方向に飛ばすパイプ９に流れ込みやすい漏斗状の底８ａの受液部８を設け、受液部８の底８ａの漏斗状の先に滴下目薬が表面張力で流れ出ない穴径でかつ目薬を飛ばす事が可能な穴径のパイプ９を設けたアダプタ６で構成されている。アダプタ６は滴下が目視できる透明の材質で出来ている。
【００１６】図２の（Ａ）〜（Ｄ）は第１実施形態の使い方を示し、出荷時には、既に滴下容器１１には目薬が充填されている。（Ａ）に示すように、アダプタ１６と滴下容器１１を連結し使用する。先ず倒立させ滴下容器１１の胴部を押し目薬を滴下する。滴下した目薬は（Ｂ）のように受液部２８に溜まる。目薬の表面張力でパイプ２９からは流れ出ない。その後（Ｃ）のように正立させるが受液部３８の目薬は表面張力で落下しない。そして（Ｄ）のようにパイプ４９を目の方向に向け、再度滴下容器４１の胴部を押し目薬を目に飛ばす。またアダプタ４６を外すと、従来の点眼具としても使用出来る。
【００１７】図３（Ａ）は本発明の点眼具の他の実施形態を示し、第１実施形態に加えアダプタ５６に材質が樹脂等の弾性体のポンプ５０を設けた構成で出来ている。尚滴下後は正立、倒立どちらの姿勢でも目薬を飛ばすことが出来る。
【００１８】図３（Ｂ）は本発明の点眼具の他の実施形態を示し、第１実施形態のアダプタ６の材質を樹脂等の弾性体としたアダプタ６６とし側面６０を押してたわむ構成で出来ている。尚滴下後は正立、倒立どちらの姿勢でも目薬を飛ばすことが出来る。
【００１９】図３（Ｃ）は本発明の点眼具の他の実施形態を示し、第１実施形態のアダプタ６を分割し上下に稼働できるアダプタ７０を構成する。アダプタ７０はバネ等の弾性体の力で元の位置に復元できる構造である。尚滴下後は正立、倒立どちらの姿勢でも目薬を飛ばすことが出来る。
【００２０】図３（Ｄ）は本発明の点眼具の他の実施形態を示し、第１実施形態のアダプタ６の材質を樹脂等の弾性体としジャバラ８０を設けたアダプタ８６とした構成で出来ている。尚滴下後は正立、倒立どちらの姿勢でも目薬を飛ばすことが出来る。
【００２１】図３（Ｅ）は本発明の点眼具の他の実施形態を示し、第１実施形態及び図３の（Ａ）〜（Ｄ）のパイプ９９を受液部底９８ａから水平以外の方向へ設けた構成で出来ている。尚滴下後は正立、倒立どちらの姿勢でも目薬を飛ばすことが出来る。
【００２２】図３（Ｆ）は本発明の点眼具の他の実施形態を示し、第１実施形態及び図３の（Ａ）〜（Ｅ）の受液部１０８をパイプ１０９の一部とし、滴下目薬以上の容量の範囲を滴下目薬が浸透する太さとした構成で出来ている。尚滴下後は正立、倒立どちらの姿勢でも目薬を飛ばすことが出来る。
【００２３】図３（Ｇ）は本発明の点眼具の他の実施形態を示し、図３（Ａ）〜（Ｆ）の実施形態に加えパイプの先端を球形１１０にした構造である。パイプを目に向け近づけた時の恐怖心を和らげ、また怪我を起こしにくくする。
【００２４】図３（Ｈ）は本発明の点眼具の他の実施形態を示し、図３（Ａ）〜（Ｆ）の実施形態に加えパイプ１２０が折りたためる構造である。またパイプ１２０を任意の方向に向けて使用することも出来る。
【産業上の利用可能性】
【００２５】少量の液体を一定量水平方向に飛ばす容器に適用できる。
【符号の説明】
【００２６】１    滴下容器
２    ノズル
３    穴
４    頭頂部
５    ネジ
６    アダプタ
７    空間
８    受液部
８ａ  受液部底
９    パイプ
【図１】
2016198464.tif 000003
【図２】
2016198464.tif 000004
【図３】
2016198464.tif 000005
2016198464.tif 000006